(57)【要約】【課題】毛布などの大物衣類を洗濯ネットに入れずに洗濯兼脱水槽内に入れ、大き目な毛布を洗濯できるようにし、毛布を回転させながら吐出口から吐出される洗濯水を毛布に直接当たるようにし、洗いむらをなくし洗浄性能を向上する。【解決手段】洗濯兼脱水槽１７の底部にパルセータ２を回転自在に配設するとともに上部に流体バランサ８を配設し、パルセータ２の下側羽根１０の外周に形成したポンプ室１１から流体バランサ８近傍まで強制循環水路３０を形成する。パルセータ２の上方にパルセータ２とは動的に切り離して多孔体１５を装着する。強制循環水路３０に、洗濯水を洗濯兼脱水槽１７の上部より吐出する第１の吐出口３１と、この第１の吐出口３１より下方に位置する第２の吐出口３２とを設け、パルセータ２の反転回転で形成される水流を、多孔体１５の上部に載置した衣類が洗い時間内に少なくとも水平方向に１周以上回転可能な水流とする。【選択図】  図１
2004201774.tif 000002
【特許請求の範囲】
【請求項１】
洗濯兼脱水槽の底部に回転自在に配設したパルセータと、前記洗濯兼脱水槽を内包する外槽と、前記洗濯兼脱水槽の上部に配設した流体バランサと、前記パルセータの下側羽根の外周に形成したポンプ室から前記流体バランサ近傍まで形成した強制循環水路と、前記パルセータの上方に前記パルセータとは動的に切り離して前記パルセータを覆うように前記洗濯兼脱水槽の内周面に装着した多孔体とを備え、前記強制循環水路に、前記パルセータの下側羽根によるポンプアップ作用により洗濯水を前記洗濯兼脱水槽の上部より吐出する第１の吐出口と、この第１の吐出口より下方に位置する第２の吐出口とを設け、前記パルセータの反転回転で形成される水流を、前記多孔体の上部に載置した衣類が洗い時間内に少なくとも洗濯兼脱水槽の水平方向に１周以上回転可能な水流とした洗濯機。
【請求項２】
洗濯兼脱水槽に少なくとも１対の強制循環水路を対向して設け、前記強制循環水路の第１の吐出口と第２の吐出口の位置をそれぞれ段違いに構成した請求項１記載の洗濯機。
【発明の詳細な説明】
【０００１】
【発明の属する技術分野】
本発明は、洗濯兼脱水槽内に設けた強制循環水路を利用して洗濯水を循環させ、パルセータと直接接触することなく衣類を洗濯する洗濯機に関するものである。
【０００２】
【従来の技術】
従来、毛布等の傷みやすい大物衣類を洗濯する場合、毛布を傷まないよう洗濯ネットに挿入した状態で洗濯兼脱水槽に入れ、パルセータを回転させて洗濯するのが一般的であり（例えば、特許文献１参照）、この種の洗濯機を図５および図６を参照しながら説明する。
【０００３】
図５に示すように、洗濯兼脱水槽１は、底部にパルセータ２を回転自在に配設し、底部裏面に取り付け用のフランジ３を取り付けている。外槽４は、洗濯兼脱水槽１の外側に設けており、外槽４の下面に洗濯兼脱水槽１およびパルセータ２を駆動するモータ５を取り付けている。また、外槽４は、筐体６にサスペンション７によって防振支持されている。洗濯兼脱水槽１の上部に液体を内封した流体バランサ８を固着している。
【０００４】
洗濯兼脱水槽１の側面部に強制循環水路９を形成しており、パルセータ２の回転により、パルセータ２の裏面の水がパルセータ２の下側羽根１０の外周に形成したポンプ室１１から強制循環水路９を通り、流体バランサ８まで到達して強制循環水路９の吐出口１２より洗濯兼脱水槽１内に吐出するようにしている。
【０００５】
一方、毛布１３などの傷みやすい大物衣類は、傷まないように洗濯するため、図６に示すように、洗濯ネット１４を用いて洗濯する。そのため、毛布１３を適度な大きさに折ったり、巻いたりして洗濯ネット１４に収容する。
【０００６】
洗濯兼脱水槽１に毛布１３を収容した洗濯ネット１４を入れ、パルセータ２の反転回転により洗濯ネット１４が回転したり、洗濯兼脱水槽１の中で水流を形成した洗濯水が毛布１３を通過することで洗濯していた。
【０００７】
また、衣類を傷めず洗濯する他の例として、図７および図８に示すように構成したものがある（例えば、特許文献２参照）。以下、その構成について説明する。
【０００８】
図７および図８に示すように、多孔体１５は、略平板状で複数の孔１６を設けている。洗濯兼脱水槽１７は、底部にパルセータ２を回転自在に配設して外槽４内に内包し、側面略全周に所定の間隔を隔てて縦凸部１８を設けるとともに、底面近傍に複数の凸部１９を設け、縦凸部１８と凸部１９とで形成した多孔体取付部２０で多孔体１５を上下から挟み込むように着脱自在に装着している。このとき、多孔体１５はパルセータ２とは動的に切り離した状態で、パルセータ２を覆うように装着するようにしている。
【０００９】
多孔体１５の外周部には、図８および図９に示すように、Ｕ字型部２１と取付支持部２２からなる複数のＵ字型弾性体２３を一体に形成している。なお、多孔体１５は２つ折り可能なように軸２４を設け、軸２４を中心として回動可能にしている。
【００１０】
多孔体１５を洗濯兼脱水槽１７に装着する場合、多孔体１５を洗濯兼脱水槽１７の内周部の多孔体取付部２０で多孔体１５の軸２４を中心として、洗濯兼脱水槽１７の上方向から下方向へ回動させると、多孔体１５のＵ字型弾性体２３の取付支持部２２は洗濯兼脱水槽１７の内周壁や縦凸部１８に当たり、さらに上から押し込むと、Ｕ字型弾性体２３は、洗濯兼脱水槽１７の内周壁や縦凸部１８に押されてＵ字型部２１がたわみ、回動可能となり、洗濯兼脱水槽１７の多孔体取付部２０に多孔体１５のＵ字型弾性体２３の取付支持部２２を装着することができ、図９に示すように、取付支持部２２を縦凸部１８より突出させ、多孔体１５を固定することができる。
【００１１】
洗濯行程において、モータ５によりパルセータ２を駆動すると、パルセータ２の回転により、図７の矢印で示すように、略ハート型の水流２５が発生し、衣類２６は、このパルセータ２の回転による略ハート型の水流２５の力によって上下に動き、押し洗い効果により洗浄される。
【００１２】
また、パルセータ２の回転により、パルセータ２の裏面の水は下側羽根１０により強制循環水路９を通り、吐出口１２より洗濯兼脱水槽１７内に吐出される。これにより、多孔体１５の上に載置された衣類２６は、パルセータ２による水流とともに、吐出口１２からの吐出水を上方よりかけることにより、洗浄力を向上することができる。
【００１３】
【特許文献１】
特開昭６２−１２０８９６号公報
【特許文献２】
特開平０９−１７３６８４号公報
【００１４】
【発明が解決しようとする課題】
このような従来の構成にて、図５に示す洗濯機では、毛布１３を洗濯するためには、洗濯ネット１４に巻いたり折ったりして収容するため、洗濯兼脱水槽１７に入れる前に本体の投入口の大きさで毛布１３の洗濯可能な大きさが規制されてしまい、大き目な毛布１３が洗えないという問題を有していた。
【００１５】
また、図７に示す洗濯機で、多孔体１５の上に毛布を載置して洗濯する場合には、毛布は大物衣類であるため、パルセータ２の回転による略ハート型の水流２５と、吐出口１２より洗濯兼脱水槽１７内に洗濯水を吐出させるだけでは、洗いむらが発生し、洗浄性能が悪いという問題を有していた。
【００１６】
本発明は上記課題を解決するもので、毛布などの大物衣類を洗濯ネットに入れずに洗濯兼脱水槽内に入れるようにして、大き目な毛布を洗濯できるようにするとともに、毛布を回転させながら複数の吐出口から吐出される洗濯水を毛布に直接当たるようにし、洗いむらをなくして洗浄性能を向上することを目的としている。
【００１７】
【課題を解決するための手段】
本発明は上記目的を達成するために、外槽に内包した洗濯兼脱水槽の底部にパルセータを回転自在に配設するとともに上部に流体バランサを配設し、パルセータの下側羽根の外周に形成したポンプ室から流体バランサ近傍まで強制循環水路を形成し、パルセータの上方にパルセータとは動的に切り離してパルセータを覆うように洗濯兼脱水槽の内周面に多孔体を装着し、強制循環水路に、パルセータの下側羽根によるポンプアップ作用により洗濯水を洗濯兼脱水槽の上部より吐出する第１の吐出口と、この第１の吐出口より下方に位置する第２の吐出口とを設け、パルセータの反転回転で形成される水流を、多孔体の上部に載置した衣類が洗い時間内に少なくとも洗濯兼脱水槽の水平方向に１周以上回転可能な水流としたものである。
【００１８】
これにより、毛布などの大物衣類を洗濯ネットに入れずに洗濯兼脱水槽内に入れることができて、大き目な毛布を洗濯できるとともに、毛布を回転させながら複数の吐出口から吐出される洗濯水を毛布に直接当たるようにでき、洗いむらをなくして洗浄性能を向上することができる。
【００１９】
【発明の実施の形態】
本発明の請求項１に記載の発明は、洗濯兼脱水槽の底部に回転自在に配設したパルセータと、前記洗濯兼脱水槽を内包する外槽と、前記洗濯兼脱水槽の上部に配設した流体バランサと、前記パルセータの下側羽根の外周に形成したポンプ室から前記流体バランサ近傍まで形成した強制循環水路と、前記パルセータの上方に前記パルセータとは動的に切り離して前記パルセータを覆うように前記洗濯兼脱水槽の内周面に装着した多孔体とを備え、前記強制循環水路に、前記パルセータの下側羽根によるポンプアップ作用により洗濯水を前記洗濯兼脱水槽の上部より吐出する第１の吐出口と、この第１の吐出口より下方に位置する第２の吐出口とを設け、前記パルセータの反転回転で形成される水流を、前記多孔体の上部に載置した衣類が洗い時間内に少なくとも洗濯兼脱水槽の水平方向に１周以上回転可能な水流としたものであり、多孔体上に毛布などの大物衣類を載置し、第２の吐出口が水面下になるよう給水してパルセータを回転させると、多孔体上の衣類は、多孔体の下側でパルセータの回転により発生する略ハート型の水流による押し洗い効果により洗うことができるとともに、第１の吐出口からの吐出される洗濯水を衣類の上方よりかけ、さらに第２の吐出口から吐出される洗濯水を衣類の側面にかけて洗うことができ、このとき、パルセータの反転回転で形成される水流により多孔体の上部に載置した衣類が洗い時間内に少なくとも洗濯兼脱水槽の水平方向に１周以上回転することにより、衣類を万遍なく洗うことができ、毛布などの大物衣類を洗濯ネットに入れずに洗濯兼脱水槽内に入れることができて、大き目な毛布を洗濯できるとともに、毛布を回転させながら第２の吐出口から吐出される洗濯水を毛布に直接当たるようにでき、洗いむらをなくして洗浄性能を向上することができる。
【００２０】
請求項２に記載の発明は、上記請求項１に記載の発明において、洗濯兼脱水槽に少なくとも１対の強制循環水路を対向して設け、前記強制循環水路の第１の吐出口と第２の吐出口の位置をそれぞれ段違いに構成したものであり、多孔体上に載置した衣類を洗い時間内に少なくとも洗濯兼脱水槽の水平方向に１周以上回転させながら、衣類の側面に複数の位置より洗濯水をかけることができ、洗いむらを大幅に向上できて、洗浄性能を向上することができる。
【００２１】
【実施例】
以下、本発明の実施例について、図面を参照しながら説明する。なお、従来例と同じ構成のものは同一符号を付して説明を省略する。
【００２２】
（実施例１）
図１に示すように、排水弁２７は外槽４内の洗濯水を排水し、給水弁２８は洗濯兼脱水槽１７内に給水するものである。制御装置２９は、モータ５、排水弁２７、給水弁２８などを制御して、洗濯、すすぎ、脱水の一連の行程を逐次制御するものである。
【００２３】
強制循環水路３０は、洗濯兼脱水槽１７の側面部に、パルセータ２の下側羽根１０の外周に形成したポンプ室１１から流体バランサ８の近傍まで形成しており、この強制循環水路３０に、パルセータ２の下側羽根１０によるポンプアップ作用により洗濯水を洗濯兼脱水槽１７の上部より吐出する第１の吐出口３１と、この第１の吐出口３１よりも下方に位置する第２の吐出口３２とを設けている。
【００２４】
また、制御装置２９は、モータ５を駆動してパルセータ２を反転駆動するとき、パルセータ２の回転を単純な左右反転時間に設定せず、例えば、モータ５の左右回転トルク差を利用した右右左左右左、または右左右右左のように左右非対称に駆動することにより、パルセータ２の反転回転で形成される水流を、多孔体１５の上部に載置した衣類が洗い時間内に少なくとも洗濯兼脱水槽１７の水平方向に１周以上回転可能な水流を略ハート型の水流２５に加えている。
【００２５】
上記構成において動作を説明すると、図１に示すように、まず、多孔体１５上に毛布１３を順次よく少しずつ載置する。このとき、従来のように、洗濯ネットに入れなくてもよいため、洗濯ネットに巻いたり折ったりして収容する場合、洗濯兼脱水槽１７に入れる前に本体の投入口の大きさで毛布１３の洗濯可能な大きさが規制されてしまい大きめな毛布１３が洗えないという問題を解決することができる。
【００２６】
つぎに、図２に示すように、毛布１３全体を多孔体１５上に載置した状態で運転を開始すると、洗濯兼脱水槽１７内に所定水位ａまで給水され、モータ５によりパルセータ２を反転駆動する。パルセータ２の回転により、矢印で示すように、略ハート型の水流２５が発生し、毛布１３は、このパルセータ２の回転による略ハート型の水流２５の力によって上下に動き、押し洗い効果により洗うことができる。このとき、毛布１３は多孔体１５により、パルセータ２に当接しないため、衣類は傷むことなく洗濯することができる。
【００２７】
また、パルセータ２の回転により、パルセータ２の裏面の洗濯水は下側羽根１０により強制循環水路３０を通り、第１の吐出口３１より洗濯兼脱水槽１内に吐出される。このとき、第２の吐出口３２は水面下にあり、水中に洗濯水を吐出しており、この第２の吐出口３２から吐出される洗濯水を毛布１３の側面にかけて洗うことができる。
【００２８】
さらに、制御装置２９は、モータ５を駆動してパルセータ２を反転駆動するとき、パルセータ２の反転回転で形成される水流を、多孔体１５の上部に載置した衣類が洗い時間内に少なくとも洗濯兼脱水槽１７の水平方向に１周以上回転可能な水流３３、例えば、右右左左右左という反転駆動で、左右の駆動時間を変えたり、モータ５のトルク差により右方向を強くしたり、右左右右左のように右方向の回数を多くすることで、右方向に回転しやすくする水流（逆に、左方向に回転しやすくしてもよい）を略ハート型の水流２５に加えているので、この水流により多孔体１５の上部に載置した毛布１３が回転することにより、毛布１３を万遍なく洗うことができ、洗いむらをなくして洗浄性能を向上することができる。
【００２９】
このように本実施例によれば、強制循環水路３０に、パルセータ２の下側羽根１０によるポンプアップ作用により洗濯水を洗濯兼脱水槽１７の上部より吐出する第１の吐出口３１と、この第１の吐出口３１より下方に位置する第２の吐出口３２とを設け、パルセータ２の反転回転で形成される水流を、多孔体１５の上部に載置した毛布１３が洗い時間内に少なくとも洗濯兼脱水槽１７の水平方向に１周以上回転可能な水流としたので、多孔体１５上に毛布１３を載置し、第２の吐出口３２が水面下になるよう給水してパルセータ２を回転させることにより、多孔体１５上の毛布１３は、多孔体１５の下側でパルセータ２の回転により発生する略ハート型の水流２５による押し洗い効果により洗うことができるとともに、第１の吐出口３１からの吐出される洗濯水を毛布１３の上方よりかけ、さらに、第２の吐出口３２から吐出される洗濯水を毛布１３の側面にかけて洗うことができ、このとき、パルセータ２の反転回転で形成される水流により多孔体１５の上部に載置した毛布１３が洗い時間内に少なくとも洗濯兼脱水槽１７の水平方向に１周以上回転することにより、衣類を万遍なく洗うことができ、洗いむらをなくして洗浄性能を向上することができる。
【００３０】
なお、毛布１３を多孔体１５上に載置する際、図１に示すように、毛布１３を順次よく少しずつ載置することにより、毛布１３を、図２に示すように、折り畳むことができ、第２の吐出口３２から吐出される洗濯水を毛布１３の側面にかけて洗うとき、第２の吐出口３２から吐出された洗濯水が折り畳んだ毛布１３の間に入り込み、より一層洗浄性能を向上することができる。
【００３１】
（実施例２）
図３および図４に示すように、洗濯兼脱水槽３４は、側面部に少なくとも１対の強制循環水路、すなわち、第１の強制循環水路３５と第２の強制循環水路３６とを対向して設けている。第１の強制循環水路３５には第１の吐出口３７と、第１の吐出口３７よりも下方の高さに第２の吐出口３８を設け、第２の強制循環水路３６にも同様に、第１の吐出口３９と、第１の吐出口３９よりも下方の高さに第２の吐出口４０を設けている。
【００３２】
さらに、第１の強制循環水路３５の第１の吐出口３７は、第２の強制循環水路３６の第１の吐出口３９とは異なる高さにあり、また、第２の吐出口３８、４０もそれぞれ異なる高さに設けて、それぞれ段違いに構成している。他の構成は実施例１と同じであり、同一符号を付して説明を省略する。
【００３３】
上記構成において動作を説明する。図４に示すように、毛布１３全体を多孔体１５上に載置した状態で運転を開始すると、洗濯兼脱水槽３４内に所定水位ａまで給水され、モータ５によりパルセータ２を反転駆動する。パルセータ２の回転により、矢印で示すように、略ハート型の水流２５が発生し、毛布１３は、このパルセータ２の回転による略ハート型の水流２５の力によって上下に動き、押し洗い効果により洗うことができる。このとき、毛布１３は多孔体１５により、パルセータ２に当接しないため、衣類は傷むことなく洗濯することができる。
【００３４】
また、パルセータ２の回転により、パルセータ２の裏面の洗濯水は下側羽根１０により、第１の強制循環水路３５を通り第１の吐出口３７と第２の吐出口３８より洗濯兼脱水槽１内に吐出されるとともに、第２の強制循環水路３６を通り第１の吐出口３９と第２の吐出口４０より洗濯兼脱水槽１内に吐出される。
【００３５】
このとき、第２の強制循環水路３６の第１の吐出口３９、第２の吐出口４０および第１の強制循環水路３５の第２の吐出口３８は水面下の異なる高さの位置にあり、水中に洗濯水を吐出している。
【００３６】
さらに、制御装置２９は、モータ５を駆動してパルセータ２を反転駆動するとき、パルセータ２の反転回転で形成される水流を、多孔体１５の上部に載置した衣類が洗い時間内に少なくとも洗濯兼脱水槽３４の水平方向に１周以上回転可能な水流３３を略ハート型の水流２５に加えているので、この水流により多孔体１５の上部に載置した毛布１３が回転することにより、毛布１３を万遍なく洗うことができ、洗いむらを大幅に向上できて洗浄性能を向上することができる。
【００３７】
このように本実施例によれば、洗濯兼脱水槽３４に第１の強制循環水路３５と第２の強制循環水路３６とを対向して設け、第１の強制循環水路３５に設けた第１の吐出口３７と第２の吐出口３８および第２の強制循環水路３６に設けた第１の吐出口３９と第２の吐出口４０の位置をそれぞれ段違いに構成したので、多孔体１５上に載置した毛布１３を洗い時間内に少なくとも洗濯兼脱水槽３４の水平方向に１周以上回転させながら、毛布１３の側面に複数の位置より洗濯水をかけることができ、洗いむらを大幅に向上できて、洗浄性能を向上することができる。
【００３８】
【発明の効果】
以上のように、本発明の請求項１に記載の発明によれば、強制循環水路に、パルセータの下側羽根によるポンプアップ作用により洗濯水を洗濯兼脱水槽の上部より吐出する第１の吐出口と、この第１の吐出口より下方に位置する第２の吐出口とを設け、パルセータの反転回転で形成される水流を、多孔体の上部に載置した衣類が洗い時間内に少なくとも洗濯兼脱水槽の水平方向に１周以上回転可能な水流としたから、毛布などの大物衣類を洗濯ネットに入れずに洗濯兼脱水槽内に入れることができて、大き目な毛布を洗濯できるとともに、毛布を回転させながら複数の吐出口から吐出される洗濯水を毛布に直接当たるようにでき、洗いむらをなくして洗浄性能を向上することができる。
【図面の簡単な説明】
【図１】本発明の第１の実施例の洗濯機の縦断面図
【図２】同洗濯機の毛布を入れた状態の縦断面図
【図３】本発明の第２の実施例の洗濯機の縦断面図
【図４】同洗濯機の毛布を入れた状態の縦断面図
【図５】従来の洗濯機の毛布を入れた状態の縦断面図
【図６】同洗濯機の洗濯ネットに毛布を入れるときの状態を示す斜視図
【図７】従来の洗濯機の他の例の縦断面図
【図８】同洗濯機に装着する多孔体の拡大平面図
【図９】同洗濯機に多孔体を装着したときの要部拡大断面図
【符号の説明】
２  パルセータ
４  外槽
８  流体バランサ
１０  下側羽根
１１  ポンプ室
１５  多孔体
１７  洗濯兼脱水槽
３０  強制循環水路
３１  第１の吐出口
３２  第２の吐出口
【図１】
2004201774.tif 000003
【図２】
2004201774.tif 000004
【図３】
2004201774.tif 000005
【図４】
2004201774.tif 000006
【図５】
2004201774.tif 000007
【図６】
2004201774.tif 000008
【図７】
2004201774.tif 000009
【図８】
2004201774.tif 000010
【図９】
2004201774.tif 000011